(57)【要約】【課題】長さの短いロック棒を用意するだけで良く、またロック棒が扉から突出した状態で搬送する際、ロック棒の先端が地面などに接触しても大きな衝撃が加わることなく、部品が損傷することのない扉のロック装置を提供する。【解決手段】観音開き式扉の先に閉じられる一方の扉の回動枢支側とは反対側の端面の手の届く高さ位置に設けられる本体操作部５と、この本体操作部５に上下方向に昇降自在に取り付けられたスライド金具６と、このスライド金具６の上端の水平板部６ａに取り付けられたクランパー７と、一方の扉３の上端内側に位置する匚状のアングル８に上下方向に昇降自在に支持され前記アングル８内に設けられたコイルばね９により上向きに付勢されるロック棒１０と、このロック棒１０と前記クランパー７を繋ぐワイヤー１１とから構成される。【選択図】図３
2007327242.tif 000002
【特許請求の範囲】
【請求項１】
収納ボックスの前面開口部を開閉する観音開き式扉の先に閉じられる一方の扉の回動枢支側とは反対側の端面に埋め込まれる扉のロック装置で、この扉のロック装置は一方の扉の手の届く高さ位置に設けられる本体操作部と、この本体操作部に上下方向に昇降自在に取り付けられたスライド金具と、このスライド金具の上端もしくは下端に取り付けられたクランパーと、一方の扉の上端もしくは下端内側位置に設けられるアングルに上下方向に昇降自在に支持され前記アングル内に設けられたコイルばねにより上向きもしくは下向きに付勢されるロック棒と、このロック棒と前記クランパーを繋ぐワイヤーとから構成され、クランパーは前記ロック棒から下向きもしくは上向きに突出するワイヤーを上下方向に挿通させてワイヤーの挟持ならびにその解除によりロック棒とクランパーとの間の長さを調節できる構成となっており、前記本体操作部にはロック棒を下降もしくは上昇させるべくスライド金具を下動もしくは上動させた状態においてスライド金具の動きを止める押しボタンを備え、この押しボタンを押すことによりスライド金具の停止保持が解除されるように構成したことを特徴とする扉のロック装置。
【発明の詳細な説明】
【技術分野】
【０００１】
本発明は、扉のロック装置に関するものである。
【背景技術】
【０００２】
従来のこの種扉のロック装置としては、例えば特許文献１に開示されているものが知られている。この特許文献１に開示されている扉のロック装置は、本体部とこの本体部の一側部を閉じる蓋板とにより縦長のケース部を構成し、このケース部の内部の作動部品収納空間内に作動部品としての昇降部材が収納され、前記昇降部材は前記本体部の上下方向中間部に軸支され本体部と蓋板で形成されるケース部の前端側の開口部より外部に露出する操作レバーの水平軸心周りでの回動により上下動するように構成され、前記本体部と蓋板で形成されるケース部の上端にはロック棒を嵌入させる開口部が形成されており、この開口部より挿入されるロック棒の下端を前記昇降部材の上端に結合させ、前記操作レバーならびにロック棒の取り付け部以外はケース部は密閉状態となっている。
【０００３】
そして、かかる特許文献１に開示されている扉のロック装置は、収納ボックスに設けられる観音開き式の先に閉じられる一方の扉側に埋め込まれ、前記操作レバーの操作により昇降部材を介してロック棒を一方の扉の上端より突出させ、ロック棒の上端を収納ボックス本体部の孔部に嵌入させるように構成されている。
【特許文献１】特開２００１−２２７２２４号公報
【発明の開示】
【発明が解決しようとする課題】
【０００４】
上記特許文献１に開示されている従来の扉のロック装置の構成では、ロック棒の長さが扉の上下方向長さに合わせて定尺となり、上下方向長さの異なる扉に対応させるためには長さの異なるロック棒を複数種類揃える必要があった。また、長いロック棒を使用する場合は、上下方向に向くロック棒が横振れしないようにガイド部材が必要であった。さらに、ロック棒がケース部内の昇降部材に直結されていることから、ロック棒が扉から突出した状態で搬送する際、ロック棒の先端が地面などに接触して衝撃が加わると、ケース部内の部品が損傷するという問題があった。
【０００５】
本発明の目的は、このような課題を解決するものであり、複数種類の長さの異なるロック棒を用意する必要がなく、長さの短いロック棒を用意するだけで良く、それによりガイド部材も不要となり、さらにロック棒が扉から突出した状態で搬送する際、ロック棒の先端が地面などに接触しても大きな衝撃が加わることなく、部品が損傷することのない扉のロック装置を提供することにある。
【課題を解決するための手段】
【０００６】
本発明の請求項１に記載の扉のロック装置は、収納ボックスの前面開口部を開閉する観音開き式扉の先に閉じられる一方の扉の回動枢支側とは反対側の端面に埋め込まれる扉のロック装置で、この扉のロック装置は一方の扉の手の届く高さ位置に設けられる本体操作部と、この本体操作部に上下方向に昇降自在に取り付けられたスライド金具と、このスライド金具の上端もしくは下端に取り付けられたクランパーと、一方の扉の上端もしくは下端内側位置に設けられるアングルに上下方向に昇降自在に支持され前記アングル内に設けられたコイルばねにより上向きもしくは下向きに付勢されるロック棒と、このロック棒と前記クランパーを繋ぐワイヤーとから構成され、クランパーは前記ロック棒から下向きもしくは上向きに突出するワイヤーを上下方向に挿通させてワイヤーの挟持ならびにその解除によりロック棒とスライド金具との間の長さを調節できる構成となっており、前記本体操作部にはロック棒を下降もしくは上昇させるべくスライド金具を下動もしくは上動させた状態においてスライド金具の動きを止める押しボタンを備え、この押しボタンを押すことによりスライド金具の停止保持が解除されるように構成したことを特徴とする。
【発明の効果】
【０００７】
以上のように、本発明の扉のロック装置は、クランパーによりロック棒とスライド金具との間のワイヤーの長さを調節することにより複数種類の長さの異なるロック棒を用意する必要がなく、長さの短いロック棒を用意するだけで良く、それによりガイド部材も不要となる。また、ロック棒が扉から突出した状態で搬送する際、ロック棒の先端が地面などに接触しても大きな衝撃が加わることなく、部品が損傷することのない扉のロック装置を提供することができる。
【発明を実施するための最良の形態】
【０００８】
以下、本発明の一実施の形態を、図１〜図６を用いて具体的に説明する。
図において、１は収納ボックス２の前面開口部を開閉する観音開き式扉３，４の先に閉じられる一方の扉３の回動枢支側とは反対側の端面に埋め込まれる扉のロック装置で、この扉のロック装置１は一方の扉３の高さ方向中間部より上側の手の届く高さ位置に設けられる本体操作部５と、この本体操作部５に上下方向に昇降自在に取り付けられたスライド金具６と、このスライド金具６の上端の水平板部６ａに取り付けられたクランパー７と、一方の扉３の上端内側に位置する匚状のアングル８に上下方向に昇降自在に支持されアングル８内に設けられたコイルばね９により上向きに付勢されるロック棒１０と、このロック棒１０と前記クランパー７を繋ぐワイヤー１１とから構成される。
【０００９】
次に、各部について詳細に述べると、前記本体操作部５は縦長で上下方向中央部から下端近傍部にかけて前後に貫通する縦長の開口部１２を有するとともに、この開口部１２の直ぐ上部に前後に貫通する丸孔１３を有している。そして、前記開口部１２の上端には前部から後部に向って湾曲状に下降傾斜しており、１４はその傾斜部である。前記丸孔１３は途中で段部が形成されて前側よりも後側が小径となっており、押しボタン１５の軸部１５ａにコイルばね１６を外嵌させた状態で前側の大径孔部１３ａより後側の小径孔部１３ｂに押しボタン１５の軸部１５ａを差し込み、小径孔部１３ｂより突出する軸部１５ａの先端小径部１５ｂに筒状の係止部材１７を外嵌させ、先端小径部１５ｂの先端に止め輪１８を取り付けることにより係止部材１７の抜け外れを防止している。前記係止部材１７の外径は前記小径孔部１３ｂの内径より大きく、丸孔１３に差し込まれた押しボタン１５が丸孔１３の前方に抜け外れないようになっている。また、丸孔１３に差し込まれた押しボタン１５は前記コイルばね１６により丸孔１３の前方に付勢されており、係止部材１７が小径孔部１３ｂの後端面に当接した状態において押しボタン１５の頭部１５ｃは大径孔部１３ａの前端面と面一状となるように構成されている。次に、前記スライド金具６は上下方向に向く板部６ｂの上端に水平板部６ａが折り曲げにより形成され、また板部６ｂの下端に前記水平板部６ａの折り曲げ方向とは逆方向に向く水平板部６ｃが折り曲げにより形成され、前記上端の水平板部６ａには前記クランパー７の下端を嵌入させる孔部１９が形成され、この孔部１９にクランパー７の下端を嵌入させた状態でクランパー７の下端の雄ねじ部にナット２０を螺合させることにより、上端の水平板部６ａにクランパー７が上下方向に向いて取り付けられる。このスライド金具６の上下方向に向く板部６ｂには上下方向中間部に丸孔２１が形成されているとともに、この丸孔２１から上下に延びる長孔２２が形成されている。この長孔２２の幅は丸孔２１の直径よりも小さく前記軸部１５ａの径よりも僅かに大きく形成されている。このスライド金具６は前記本体操作部５のほぼ上半分の背面に上下方向に向く板部６ｂが当接するとともに下端の水平板部６ｃが前記開口部１２内に位置し、スライド金具６が上昇したときに下端の水平板部６ｃが前記傾斜部１４下端に当接してスライド金具６の上昇が止まり、スライド金具６が下降したときに下端の水平板部６ｃが本体操作部５の開口部１２底部上に載り、この状態でコイルばね１６により付勢されている押しボタン１５に設けた前記係止部材１７がスライド金具６の丸孔２１に嵌り込むとともに小径孔部１３ｂの後端面に当接し、押しボタン１５の頭部１５ｃは前記大径孔部１３ａの前端面と面一状となる。ところで、前記本体操作部５の背面側には本体操作部５との間でスライド金具６をスライド可能に挟む支持板２３が本体操作部５にビス２４止めにより取り付けられている。２５はビス２４を螺入させるために本体操作部５の上下両端に形成されたねじ孔である。次に、スライド金具６の上端の水平板部６ａに上下方向に向いて取り付けられるクランパー７はクランパー本体部２６と、クランパー本体部２６内に挿通されるワイヤー１１を掴む挟持手段２７とを備え、この挟持手段２７はクランパー本体部２６内において開閉自在な支持部材２８に複数個のボール状挟持部材２９を取り付け、ボール状挟持部材２９がクランパー本体部２６内面のテーパー面３０に当接した状態として、複数個のボール状挟持部材２９を通るワイヤー１１がテーパー面３０の小径側（クランパー本体部２６の上端側）に引っ張られることによりボール状挟持部材２９はワイヤー１１との摩擦によりワイヤー１１と同方向に引き寄せられ、ボール状挟持部材２９はワイヤー１１を強く挟持してクランパー本体部２６の上端側からのワイヤー１１の動きを止めるように構成されている。クランパー本体部２６の上端側からは前記支持部材２８の上端がクランパー本体部２６内に設けたばね３１の付勢力により突出しており、クランパー７（スライド金具６）と前記ロック棒１０との間のワイヤー１１の長さを長くしたいときはクランパー本体部２６の上端側から突出する支持部材２８の上端を前記ばね３１に抗してクランパー本体部２６内に押し込むことによりボール状挟持部材２９は前記テーパー面３０の大径側に移動してワイヤー１１の挟持を解除してワイヤー１１をクランパー本体部２６の上端側から引き出すことができる。なお、クランパー７とロック棒１０との間のワイヤー１１の長さを短くしたいときはクランパー本体部２６の下端側から突出するワイヤー１１を下方に引っ張るかクランパー本体部２６の上端側から突出する支持部材２８の上端を前記ばね３１に抗してクランパー本体部２６内に押し込むことによりボール状挟持部材２９による強い挟持力を受けることなく支持部材２８内でワイヤー１１を移動させることができ、ワイヤー１１の長さを短くすることができる。このようにクランパー７は前記ロック棒１０から下向きに突出するワイヤー１１を支持部材２７内に上下方向に挿通させてワイヤー１１を下方に引っ張ったり支持部材２８の上端をクランパー本体部２６内に押し込むことによりワイヤー１１のクランプを解除できる構成となっており、ワイヤー１１の下端はクランパー７から余裕を持って引き出されている。次に、前記ロック棒１０は中心に上下方向に貫通するワイヤー挿通孔１０ａを備え、このワイヤー挿通孔１０ａに上方よりワイヤー１１を差し込んでいる。ワイヤー１１の上端にはワイヤー挿通孔１０ａの上端に止まるようにボール状のストッパー１１ａが設けられている。そして、ロック棒１０を上向きに付勢するコイルばね９はロック棒１０の長さ方向中間部に設けられた止め輪３２に上端が当接し、止め輪３２がアングル８の上端板部８ａ下面に当接することと、コイルばね９の下端がアングル８の下端板部８ｂ上に載っていることによりロック棒１０は上向きに付勢されている。このロック棒１０の上向き付勢力がワイヤー１１、クランパー７を介してスライド金具６に伝わり、ロック棒１０とスライド金具６が連動するように構成されている。つまり、ロック棒１０がコイルばね９の付勢力によりアングル８から上方に大きく突出しているときはスライド金具６も上昇した状態にあり、スライド金具６を下降させることによりロック棒１０もコイルばね９の付勢力に抗して下降する。
【００１０】
かかる構成の扉のロック装置は観音開き式扉３，４の先に閉じられる一方の扉３の回動枢支側とは反対側の端面内側に設けられるものであって、前記本体操作部５の丸孔１３の大径孔部１３ａおよび開口部１２が存在する前面および匚状のアングル８の上下方向に向く板部８ｃを一方の扉３の回動枢支側とは反対側の端面板部３ａの内側に向けて、本体操作部５を手の届く高さ位置に、アングル８を一方の扉３の上端位置にそれぞれ前記端面板部３ａの外側からビス止めにて取り付ける。３３はアングル８の上下方向に向く板部８ｃを前記端面板部３ａに固定するビス、３４は本体操作部５を前記ねじ孔２５の位置で前記端面板部３ａに固定するビスである。なお、本体操作部５の前記丸孔１３および開口部１２が形成されている面は前記ねじ孔２５が形成されている上下両端部に対して前記端面板部３ａの板厚分前方に突出しており、前記端面板部３ａに形成されている切り抜き孔３ｂに嵌り込んで外部に露出している。このように一方の扉３の回動枢支側とは反対側の端面板部３ａの内側に取り付けられる本体操作部５とアングル８との間の間隔は扉の上下方向の長さ（高さ）などによって必ずしも一定でなく、本体操作部５とアングル８との間の間隔に合うように本体操作部５とアングル８との間のワイヤー１１長さを前記クランパー７により調節する。かかる状態で閉じられた一方の扉３を開くときは前記本体操作部５の開口部１２に指を入れてスライド金具６の下端の水平板部６ｃを押し下げスライド金具６を下降させることによりクランパー７、ワイヤー１１を介してロック棒１０が下降し、ロック棒１０の上端が収納ボックス２の上端の孔部２ａより抜け外れて一方の扉３を開くことができる。前記スライド金具６は下降することにより前記丸孔２１と前記押しボタン１５に設けた係止部材１７が合致してコイルばね１６の付勢力により係止部材１７が丸孔２１に嵌り込み、押しボタン１５は頭部１５ｃが前記大径孔部１３ａの前端面と面一状となるように前方に押し出される。この状態でスライド金具６の動きが止められ、ロック棒１０の下降状態が保持されることになる。開かれた一方の扉３を閉じて閉塞状態をロックする場合は、一方の扉３が閉じられた状態で押しボタン１５を押すことにより係止部材１７が丸孔２１から抜け外れて、ロック棒１０を上方へ付勢するコイルばね９によりスライド金具６と一緒にロック棒１０が上昇する。これにより上昇したロック棒１０の上端は一方の扉３の上端の孔部３５から突出して前記収納ボックス２の上端の孔部２ａに嵌り込み、一方の扉３の閉塞状態がロックされることになる。
【００１１】
以上述べた図面に示す実施の形態では扉の上部で閉塞状態がロックされるようになっているが、扉の下部もしくはその両方で閉塞状態をロックすることも可能である。つまり、扉の下部で閉塞状態をロックする場合は、扉のロック装置を上下逆に向けて扉に取り付ければ良く、その場合ロック棒１０はコイルばね９により付勢されて下向きに突出するようになる。
【図面の簡単な説明】
【００１２】
【図１】本発明の一実施の形態における扉のロック装置の全体斜視図である。
【図２】同扉のロック装置の側面図である。
【図３】同扉のロック装置の取り付け状態における断面図である。
【図４】同扉のロック装置に設けられるクランパーの断面図である。
【図５】同扉のロック装置を設けた収納ボックスのほぼ上半分の斜視図である。
【図６】同扉のロック装置を取り付けた扉を内面側から見た要部拡大斜視図である。
【符号の説明】
【００１３】
１          扉のロック装置
２          収納ボックス
２ａ        孔部
３，４      観音開き式扉
３ａ        端面板部
３ｂ        切り抜き孔
５          本体操作部
６          スライド金具
６ａ        水平板部
６ｂ        上下方向に向く板部
６ｃ        水平板部
７          クランパー
８          アングル
９          コイルばね
１０          ロック棒
１０ａ        ワイヤー挿通孔
１１          ワイヤー
１１ａ        ストッパー
１２          開口部
１３          丸孔
１３ａ        大径孔部
１３ｂ        小径孔部
１４          傾斜部
１５          押しボタン
１５ａ        軸部
１５ｂ        先端小径部
１５ｃ        頭部
１６          コイルばね
１７          係止部材
１８          止め輪
１９          孔部
２０          ナット
２１          丸孔
２２          長孔
２３          支持板
２４          ビス
２５          ねじ孔
２６          クランパー本体部
２７          挟持手段
２８          支持部材
２９          ボール状挟持部材
３０          テーパー面
３１          ばね
３２          止め輪
３３，３４    ビス
３５          孔部
【図１】
2007327242.tif 000003
【図２】
2007327242.tif 000004
【図３】
2007327242.tif 000005
【図４】
2007327242.tif 000006
【図５】
2007327242.tif 000007
【図６】
2007327242.tif 000008